(57)【要約】      （修正有）【課題】マンション改修工事において、ベランダ内から足場へ戻る際、ベランダの手摺を容易に乗り越えられるように、足掛けを仮設するための用具であって、低コスト、コンパクトかつ軽量に構成した足掛け具を提供する。【解決手段】ベランダ２の手摺３に設けられ、その手摺３を乗り越える際の足掛けを仮設する足掛け具１である。一本の棒材から形成される縦材４と、その上部に設けられる上掛け材５、下部に設けられる下掛け材６を備える。上掛け材５は、手摺３の上部に着脱可能に引っ掛けられる。手摺３の上部に上掛け材５を引っ掛けて保持した状態で、下掛け材６は手摺３の高さ方向中央部に配置され、足掛けとして利用できる。【選択図】図２
0003184410.tif 000002
【実用新案登録請求の範囲】
【請求項１】
手摺壁その他の手摺または柵などから構成される境界壁（３）に設けられ、その境界壁（３）を乗り越える際の足掛けを仮設する足掛け具（１）であって、
一本の棒状で縦向きに配置される縦材（４）と、
この縦材（４）の上部に設けられ、前記境界壁（３）の上部に着脱可能に保持される上掛け材（５）と、
前記縦材（４）の下部に設けられ、足を掛けるための下掛け材（６）と
を備えることを特徴とする足掛け具。
【請求項２】
ベランダ（２）またはバルコニーの内側に設けられ、
前記境界壁（３）の上部に前記上掛け材（５）を引っ掛けて保持した状態で、前記下掛け材（６）は前記境界壁（３）の高さ方向中央部に配置される
ことを特徴とする請求項１に記載の足掛け具。
【請求項３】
ベランダ（２）またはバルコニーの内側に設けられ、
前記縦材（４）は、５０ｃｍ〜７０ｃｍの長さである
ことを特徴とする請求項１または請求項２に記載の足掛け具。
【請求項４】
前記縦材（４）は、伸縮可能に構成され、
前記縦材（４）の短縮時、前記下掛け材（６）が前記境界壁（３）の高さ方向中央部に配置されるか、前記縦材（４）が５０ｃｍ〜７０ｃｍの長さとされ、
前記下掛け材（６）を前記ベランダ（２）またはバルコニーの床へ接近可能に、前記縦材（４）を伸長可能である
ことを特徴とする請求項２または請求項３に記載の足掛け具。
【請求項５】
前記上掛け材（５）は、前記縦材（４）の上部に回転可能に設けられ、前記縦材（４）の一側面に対し設定角度開いた状態で位置決め可能である一方、前記縦材（４）の一側面の側に倒して収納可能であり、
前記下掛け材（６）は、前記縦材（４）の下部に回転可能に設けられ、前記縦材（４）の他側面に対し設定角度開いた状態で位置決め可能である一方、前記縦材（４）の他側面の側に倒して収納可能である
ことを特徴とする請求項１〜４のいずれか１項に記載の足掛け具。
【請求項６】
前記縦材（４）は、角材から形成され、
前記上掛け材（５）は、角材から形成される上材（８）を備え、
この上材（８）は、先端側に係合板（９）が設けられる一方、基端部が上接続板（１０）により前記縦材（４）に回転可能に取り付けられ、
前記係合板（９）は、略Ｌ字形状に形成され、一片（９ａ）が前記上材（８）の前後の側面に重ね合わされて固定され、他片（９ｂ）が前記上材（８）に対し垂直に延出して配置され、
前記上接続板（１０）は、略Ｌ字形状に形成され、前記縦材（４）の上端部の一側面に前記上材（８）の基端面を当接した状態で、一片（１０ａ）が前記上材（８）の前後の側面に重ね合わされて固定され、他片（１０ｂ）が前記縦材（４）の前後の側面に重ね合わされて、その他片（１０ｂ）の下端部に設けられた軸（７）まわりに回転可能とされ、
前記下掛け材（６）は、角材から形成される下材（１５）を備え、
この下材（１５）は、基端部が下接続板（１６）により前記縦材（４）に回転可能に取り付けられ、
前記下接続板（１６）は、略Ｌ字形状に形成され、前記縦材（４）の下端部の他側面に前記下材（１５）の基端面を当接した状態で、一片（１６ａ）が前記下材（１５）の前後の側面に重ね合わされて固定され、他片（１６ｂ）が前記縦材（４）の前後の側面に重ね合わされて、その他片（１６ｂ）の上端部に設けられた軸（１４）まわりに回転可能とされ、
前記縦材（４）に対し前記上材（８）を垂直に開いた状態で、前記縦材（４）の上部には、前記縦材（４）、前記上材（８）および前記係合板（９）の他片（９ｂ）により、下方へ開口した略コ字形状部が形成され、この略コ字形状部にて前記境界壁（３）の上部に着脱可能に引っ掛けられる
ことを特徴とする請求項１〜５のいずれか１項に記載の足掛け具。
【請求項７】
前記上材（８）に対する前記係合板（９）の取付位置を、前記上材（８）の長手方向に沿って変更可能とされた
ことを特徴とする請求項６に記載の足掛け具。
【請求項８】
前記縦材（４）の一側面、前記上材（８）の下面、前記係合板（９）の他片（９ｂ）には、それぞれ、弾性材（２０〜２３）が設けられた
ことを特徴とする請求項６または請求項７に記載の足掛け具。
【考案の詳細な説明】
【技術分野】
【０００１】
本考案は、たとえばマンションの改修工事において、足場とベランダとの間を行き来する作業員が、ベランダ内から足場へ戻る際、ベランダの手摺などを容易に乗り越えられるように、足掛けを仮設するための足掛け具に関するものである。
【背景技術】
【０００２】
たとえば、マンションや団地などの集合住宅の改修工事では、建物の外側に足場を組んで作業が行われる。ベランダがある場合には、その内側についても作業が行われるが、ベランダへの出入りは、足場から行われる。足場からベランダへの乗り込みは、比較的容易であるが、ベランダから足場へ戻る際には、ベランダの手摺の高さが１ｍ以上あるので、手摺をよじ登る必要があり、困難を伴う。
【０００３】
このような事情を考慮し、従来、下記特許文献に開示されるように、各種のベランダ用ステップが提案されている。従来のベランダ用ステップは、ベランダの手摺の上部に板材などを水平に配置し、そこからベランダ内へ向けて梯子が設けられる。この梯子は、左右の縦材に、上下複数段に横材を架け渡して構成される。
【先行技術文献】
【特許文献】
【０００４】
【特許文献１】特開平１１−７１８９５号公報
【特許文献２】特開平８−２１０８２号公報
【考案の概要】
【考案が解決しようとする課題】
【０００５】
しかしながら、従来のベランダ用ステップは、いずれも、梯子から構成される。また、その梯子を保持するために、手摺上部には板材または一対の取付用部材が必要となり、しかもいずれも折り畳み不能である。従って、従来のベランダ用ステップは、いずれも、高コストであり、また嵩張る上、重たい。ベランダ用ステップを構成する各部品は、足場を介して持ち運ぶ必要があるが、嵩張る上に重たいのでは、持ち運びに不便である。
【０００６】
そこで、本考案が解決しようとする課題は、ベランダ内から足場へ戻る際、ベランダの手摺などを容易に乗り越えられるように、足掛けを仮設するための足掛け具を提供することにある。特に、そのような足掛け具を、低コスト、コンパクトかつ軽量に提供することを課題とする。
【課題を解決するための手段】
【０００７】
本考案は、前記課題を解決するためになされたもので、請求項１に記載の考案は、手摺壁その他の手摺または柵などから構成される境界壁（３）に設けられ、その境界壁（３）を乗り越える際の足掛けを仮設する足掛け具（１）であって、一本の棒状で縦向きに配置される縦材（４）と、この縦材（４）の上部に設けられ、前記境界壁（３）の上部に着脱可能に保持される上掛け材（５）と、前記縦材（４）の下部に設けられ、足を掛けるための下掛け材（６）とを備えることを特徴とする足掛け具である。
【０００８】
請求項１に記載の考案によれば、一本の棒状の縦材（４）と、この縦材（４）の上部を境界壁（３）の上部に着脱可能に保持する上掛け材（５）と、縦材（４）の下部に設けられて足を掛けるための下掛け材（６）とから構成される。従って、簡易な構成で、低コスト、コンパクトかつ軽量である。
【０００９】
請求項２に記載の考案は、ベランダ（２）またはバルコニーの内側に設けられ、前記境界壁（３）の上部に前記上掛け材（５）を引っ掛けて保持した状態で、前記下掛け材（６）は前記境界壁（３）の高さ方向中央部に配置されることを特徴とする請求項１に記載の足掛け具である。
【００１０】
請求項２に記載の考案によれば、ベランダ（２）またはバルコニーの境界壁（３）の高さ方向中央部に足掛けを配置することができ、境界壁（３）の乗り越えが容易に行える。また、敢えて境界壁（３）の高さの半分ほどの長さに構成し、その下端部にのみ足掛けを設けることで、簡易な構成となり、コンパクトかつ軽量である。
【００１１】
請求項３に記載の考案は、ベランダ（２）またはバルコニーの内側に設けられ、前記縦材（４）は、５０ｃｍ〜７０ｃｍの長さであることを特徴とする請求項１または請求項２に記載の足掛け具である。
【００１２】
請求項３に記載の考案によれば、ベランダ（２）またはバルコニーの境界壁（３）は、通常１ｍ〜１ｍ２０ｃｍの高さであるから、５０ｃｍ〜７０ｃｍの長さの縦材（４）を用いることで、境界壁（３）の高さ方向中央部に足掛けを配置することができ、境界壁（３）の乗り越えが容易に行える。また、敢えて境界壁（３）の高さの半分ほどの長さに構成し、その下端部にのみ足掛けを設けることで、簡易な構成となり、コンパクトかつ軽量である。
【００１３】
請求項４に記載の考案は、前記縦材（４）は、伸縮可能に構成され、前記縦材（４）の短縮時、前記下掛け材（６）が前記境界壁（３）の高さ方向中央部に配置されるか、前記縦材（４）が５０ｃｍ〜７０ｃｍの長さとされ、前記下掛け材（６）を前記ベランダ（２）またはバルコニーの床へ接近可能に、前記縦材（４）を伸長可能であることを特徴とする請求項２または請求項３に記載の足掛け具である。
【００１４】
請求項４に記載の考案によれば、縦材（４）は伸縮可能で、ベランダ（２）またはバルコニーの床へ近接した位置に足掛けを配置することができる。従って、たとえば、ベランダ（２）またはバルコニーの床の左官工事における足置きとして利用することで、床全体を塗り残しなく施工することができる。
【００１５】
請求項５に記載の考案は、前記上掛け材（５）は、前記縦材（４）の上部に回転可能に設けられ、前記縦材（４）の一側面に対し設定角度開いた状態で位置決め可能である一方、前記縦材（４）の一側面の側に倒して収納可能であり、前記下掛け材（６）は、前記縦材（４）の下部に回転可能に設けられ、前記縦材（４）の他側面に対し設定角度開いた状態で位置決め可能である一方、前記縦材（４）の他側面の側に倒して収納可能であることを特徴とする請求項１〜４のいずれか１項に記載の足掛け具である。
【００１６】
請求項５に記載の考案によれば、縦材（４）に対し上掛け材（５）と下掛け材（６）とを展開して位置決めした状態で使用され、使用後には、縦材（４）の側に上掛け材（５）と下掛け材（６）とを倒して収納可能であるから、コンパクトに持ち運びすることができる。
【００１７】
請求項６に記載の考案は、前記縦材（４）は、角材から形成され、前記上掛け材（５）は、角材から形成される上材（８）を備え、この上材（８）は、先端側に係合板（９）が設けられる一方、基端部が上接続板（１０）により前記縦材（４）に回転可能に取り付けられ、前記係合板（９）は、略Ｌ字形状に形成され、一片（９ａ）が前記上材（８）の前後の側面に重ね合わされて固定され、他片（９ｂ）が前記上材（８）に対し垂直に延出して配置され、前記上接続板（１０）は、略Ｌ字形状に形成され、前記縦材（４）の上端部の一側面に前記上材（８）の基端面を当接した状態で、一片（１０ａ）が前記上材（８）の前後の側面に重ね合わされて固定され、他片（１０ｂ）が前記縦材（４）の前後の側面に重ね合わされて、その他片（１０ｂ）の下端部に設けられた軸（７）まわりに回転可能とされ、前記下掛け材（６）は、角材から形成される下材（１５）を備え、この下材（１５）は、基端部が下接続板（１６）により前記縦材（４）に回転可能に取り付けられ、前記下接続板（１６）は、略Ｌ字形状に形成され、前記縦材（４）の下端部の他側面に前記下材（１５）の基端面を当接した状態で、一片（１６ａ）が前記下材（１５）の前後の側面に重ね合わされて固定され、他片（１６ｂ）が前記縦材（４）の前後の側面に重ね合わされて、その他片（１６ｂ）の上端部に設けられた軸（１４）まわりに回転可能とされ、前記縦材（４）に対し前記上材（８）を垂直に開いた状態で、前記縦材（４）の上部には、前記縦材（４）、前記上材（８）および前記係合板（９）の他片（９ｂ）により、下方へ開口した略コ字形状部が形成され、この略コ字形状部にて前記境界壁（３）の上部に着脱可能に引っ掛けられることを特徴とする請求項１〜５のいずれか１項に記載の足掛け具である。
【００１８】
請求項６に記載の考案によれば、角材と略Ｌ字形状板との組合せにより、簡易な構成で、低コスト、コンパクトかつ軽量に構成できる。また、上材（８）は、上接続板（１０）を介して縦材（４）に対し設定範囲を回転可能であるが、縦材（４）に対し垂直に配置すると、縦材（４）の一側面に上材（８）の基端面が当接されて、両部材は位置決めされる。同様に、下材（１５）は、下接続板（１６）を介して縦材（４）に対し設定範囲を回転可能であるが、縦材（４）に対し垂直に配置すると、縦材（４）の他側面に下材（１５）の基端面が当接されて、両部材は位置決めされる。さらに、上材（８）には係合板（９）を設けており、縦材（４）に対し上材（８）を垂直に開くと、下方へ開口した略コ字形状部が形成されるので、この略コ字形状部にて境界壁（３）の上部に着脱可能に引っ掛けることができる。一方、使用後には、縦材（３）の側に上材（８）と下材（１５）とを倒して収納可能であるから、コンパクトに持ち運びすることができる。
【００１９】
請求項７に記載の考案は、前記上材（８）に対する前記係合板（９）の取付位置を、前記上材（８）の長手方向に沿って変更可能とされたことを特徴とする請求項６に記載の足掛け具である。
【００２０】
請求項７に記載の考案によれば、取り付ける境界壁（３）の厚さに合わせて、上材（８）に対する係合板（９）の取付位置を変更することができる。
【００２１】
さらに、請求項８に記載の考案は、前記縦材（４）の一側面、前記上材（８）の下面、前記係合板（９）の他片（９ｂ）には、それぞれ、弾性材（２０〜２３）が設けられたことを特徴とする請求項６または請求項７に記載の足掛け具である。
【００２２】
請求項８に記載の考案によれば、縦材（４）の一側面、上材（８）の下面、係合板（９）の他片（９ｂ）には、それぞれ弾性材（２０〜２３）が設けられているので、境界壁を傷つけるおそれがない。
【考案の効果】
【００２３】
本考案によれば、ベランダ内から足場へ戻る際、ベランダの手摺などを容易に乗り越えられるように、足掛けを仮設するための足掛け具を提供することができる。しかも、そのような足掛け具を、低コスト、コンパクトかつ軽量に構成することができる。
【図面の簡単な説明】
【００２４】
【図１】本考案の足掛け具の実施例１を示す概略斜視図である。
【図２】図１の足掛け具の使用状態を示す概略断面図であり、マンションのベランダの手摺に取り付けた状態を示している。
【図３】本考案の足掛け具の実施例２を示す概略斜視図である。
【図４】図３の足掛け具の使用状態を示す概略断面図であり、マンションのベランダの手摺に取り付けた状態を示している。
【考案を実施するための形態】
【００２５】
本考案の足掛け具は、手摺または柵などから構成される境界壁に設けられ、その境界壁を乗り越える際の足掛けを仮設するのに用いられる。手摺や柵は、典型的には、所定間隔で立設された支柱の上端部に横棒が架け渡されてなり、支柱間には、所定間隔で縦棒（手摺子）が設けられていてもよいし、パネルなどがはめ込まれていてもよい。また、手摺は、壁状に形成された手摺壁であってもよいし、その手摺壁の上部に、手摺本体としての横棒がさらに設けられていてもよい。
【００２６】
以下の実施例では、足掛け具を、マンションのベランダの手摺（手摺壁を含む）に設ける場合を例に説明するが、アパートや団地など、マンション以外の集合住宅にも同様に適用可能である。また、必ずしも集合住宅に限らず適用可能である。さらに、ベランダに限らず、バルコニー、共用の廊下または階段などの手摺にも適用可能である。その他、各種箇所における手摺や柵などにも同様に適用可能である。
【実施例１】
【００２７】
図１は、本考案の足掛け具１の実施例１を示す概略斜視図である。また、図２は、本実施例の足掛け具１の使用状態を示す概略断面図であり、マンションのベランダ２の手摺３に取り付けた状態を示している。
【００２８】
本実施例の足掛け具１は、一本の棒状で縦向きに配置される縦材４と、この縦材４の上部に設けられて手摺３の上部に着脱可能に保持される上掛け材５と、縦材４の下部に設けられて足を掛けるための下掛け材６とを備える。
【００２９】
縦材４は、本実施例では、一本の棒材から形成され、ここでは角材から形成される。より詳細には、本実施例の縦材４は、断面矩形の筒材から形成される。縦材４は、その材質を特に問わないが、本実施例ではアルミニウムから形成される。
【００３０】
上掛け材５は、縦材４の上部に、前後方向へ沿う軸７まわりに回転可能に設けられ、縦材４の一側面（図では左側面）に対し設定角度（本実施例では９０度）開いた状態で位置決め可能である一方、二点鎖線で示すように、縦材４の一側面の側に倒して収納可能である。
【００３１】
上掛け材５は、手摺３の上部に着脱可能に保持可能であれば、その構成を特に問わないが、典型的には、手摺３の上部に着脱可能に引っ掛けられる。本実施例では、上掛け材５は、角材から形成される上材８を備える。本実施例の上材８は、断面矩形の筒材から形成され、その断面は縦材４と同一とされる。また、上材８は、その材質を特に問わないが、本実施例ではアルミニウムから形成される。
【００３２】
上材８は、先端側に係合板９が設けられる一方、基端部が上接続板１０により縦材４に回転可能に取り付けられる。なお、本実施例では、係合板９および上接続板１０は、それぞれ、上材８の前後両面に一対設けられる。また、係合板９および上接続板１０は、その材質を特に問わないが、本実施例ではステンレスから形成される。
【００３３】
係合板９は、略Ｌ字形状に形成された板材であり、一片９ａが上材８の前後の側面に重ね合わされて固定される。この際、係合板９の一片９ａは、その先端部を上材８の基端側へ向けて、上材８の長手方向へ沿って配置される。これにより、係合板９の他片９ｂは、上材８に対し垂直に延出して配置される。図１において実線で示すように、縦材４に対し上材８を垂直に配置した状態では、係合板９の他片９ｂは、水平に配置された上材８から下方へ向けて延出する。
【００３４】
上材８の前後の側面には、互いに対応した位置に前後方向へ沿って貫通穴が形成されている。一方、係合板９の一片９ａにも、長手方向に離隔した二箇所に貫通穴が形成されている。そして、上材８の前後の側面に係合板９の一片９ａを重ね合わせ、各部材８，９の貫通穴を対応させた状態で、一方からネジ１１を通して、他方においてナットで締め付けることで、上材８に係合板９を固定することができる。上材８には、その長手方向に離隔して複数の貫通穴を形成しておき、そのいずれの貫通穴を利用するかにより、上材８に対する係合板９の取付位置を、上材８の長手方向に沿って変更可能とされるのが好ましい。たとえば、係合板９の他片９ｂは、図示例では上材８の長手方向中途部に配置されているが、上材８の先端部に配置することもできる。このようにして、各種の厚さの手摺３に、足掛け具１を安定して取り付けることが可能となる。
【００３５】
上接続板１０は、略Ｌ字形状に形成された板材であり、図１に示すように、縦材４の上端部の一側面に上材８の基端面を当接した状態で、一片１０ａが上材８の前後の側面に重ね合わされて固定され、他片１０ｂが縦材４の前後の側面に重ね合わされて、その他片１０ｂの下端部に設けられた軸７まわりに回転可能とされる。この際、上接続板１０は、一片１０ａが上材８の長手方向へ沿って配置され、他片１０ｂが縦材４の長手方向へ沿って配置される。また、縦材４の上端部の一側面に上材８の基端面を当接した状態では、縦材４と上材８との角部に、上接続板１０の角部が対応して配置される。
【００３６】
上材８に対する上接続板１０の一片１０ａの取付けは、上材８に対する係合板９の一片９ａの取付けと同様に、上材８に一片１０ａを重ね合わせた状態で、前後方向へ沿ってネジ１２を貫通させて、ナットで締めることで行われる。
【００３７】
縦材４に対する上接続板１０の他片１０ｂの取付けも、基本的には同様であるが、蝶ナット１３を用いる点が異なる。つまり、縦材４に他片１０ｂを重ね合わせた状態で、前後方向へ沿ってネジ７を貫通させて、座金を介して蝶ナット１３で締められる。
【００３８】
上接続板１０の他片１０ｂを縦材４に取り付けるネジ７は、縦材４に対する上掛け材５（上材８）の軸としても機能する。すなわち、上掛け材５は、図１において実線で示すように、縦材４に対し垂直に配置された展開位置と、図１において二点鎖線で示すように、縦材４の側に倒した収納位置との間を、軸７まわりに回転可能とされる。この回転は、蝶ナット１３を緩めた状態で行われるが、展開位置または収納位置で固定したい場合には、それぞれの位置で蝶ナット１３を締めればよい。なお、展開位置では、縦材４の一側面に上材８の基端面が当接され、上材８がそれ以上上方へ回転するのが規制される。また、収納位置では、係合板９の他片９ｂ間の隙間に、縦材４がはまり込むことになる。
【００３９】
下掛け材６は、縦材４の下部に、前後方向へ沿う軸１４まわりに回転可能に設けられ、縦材４の他側面（図では右側面）に対し設定角度（本実施例では９０度）開いた状態で位置決め可能である一方、二点鎖線で示すように、縦材４の他側面の側に倒して収納可能である。
【００４０】
下掛け材６は、足を掛けることができれば、その構成を特に問わない。本実施例では、下掛け材６は、角材から形成される下材１５を備える。本実施例の下材１５は、断面矩形の筒材から形成され、その断面は縦材４および上材８と同一とされる。また、下材１５は、その材質を特に問わないが、本実施例ではアルミニウムから形成される。
【００４１】
下材１５は、基端部が下接続板１６により縦材４に回転可能に取り付けられる。なお、本実施例では、下接続板１６は、下材１５の前後両面に一対設けられる。また、下接続板１６は、その材質を特に問わないが、本実施例ではステンレスから形成される。
【００４２】
下接続板１６は、略Ｌ字形状に形成された板材であり、図１に示すように、縦材４の下端部の他側面に下材１５の基端面を当接した状態で、一片１６ａが下材１５の前後の側面に重ね合わされて固定され、他片１６ｂが縦材４の前後の側面に重ね合わされて、その他片１６ｂの上端部に設けられた軸１４まわりに回転可能とされる。この際、下接続板１６は、一片１６ａが下材１５の長手方向へ沿って配置され、他片１６ｂが縦材４の長手方向へ沿って配置される。また、縦材４の下端部の他側面に下材１５の基端面を当接した状態では、縦材４と下材１５との角部に、下接続板１６の角部が対応して配置される。
【００４３】
下材１５に対する下接続板１６の一片１６ａの取付けは、上材８に対する上接続板１０の一片１０ａの取付けと同様に、下材１５に一片１６ａを重ね合わせた状態で、前後方向へ沿ってネジ１７を貫通させて、ナットで締めることで行われる。
【００４４】
縦材４に対する下接続板１６の他片１６ｂの取付けは、縦材４に対する上接続板１０の他片１０ｂの取付けと同様に、蝶ナット１８を用いて行われる。つまり、縦材４に他片１６ｂを重ね合わせた状態で、前後方向へ沿ってネジ１４を貫通させて、座金を介して蝶ナット１８で締められる。
【００４５】
下接続板１６の他片１６ｂを縦材４に取り付けるネジ１４は、縦材４に対する下掛け材６（下材１５）の軸としても機能する。すなわち、下掛け材６は、図１において実線で示すように、縦材４に対し垂直に配置された展開位置と、図１において二点鎖線で示すように、縦材４の側に倒した収納位置との間を、軸１４まわりに回転可能とされる。この回転は、蝶ナット１８を緩めた状態で行われるが、展開位置または収納位置で固定したい場合には、それぞれの位置で蝶ナット１８を締めればよい。なお、展開位置では、縦材４の他側面に下材１５の基端面が当接され、下材１５がそれ以上下方へ回転するのが規制される。
【００４６】
本実施例の足掛け具１は、たとえばマンションの改修工事の際に用いられる。図２に示すように、マンションの改修工事では、足場１９が組まれ、ベランダ２と足場１９との間を作業者が出入りする。足場１９からベランダ２への進入は比較的容易であるが、ベランダ２内から足場１９へ戻る際、ベランダ２の手摺３を乗り越えるのに困難を伴う。そこで、図２に示すように、ベランダ２の内側には、手摺３に足掛け具１を一時的に設ければよい。
【００４７】
手摺３への足掛け具１の設置は、縦材４に対し上掛け材５を展開位置とした状態で、上掛け材５を手摺３の上部に引っ掛ければよい。より詳細には、本実施例の場合、縦材４に対し上材８を垂直に開くと、足掛け具１の上部には、縦材４、上材８および係合板９の他片９ｂにより、下方へ開口した略コ字形状部が形成されるので、この略コ字形状部にて手摺３の上部に着脱可能に引っ掛ければよい。言い換えれば、縦材４と、係合板９の他片９ｂとにより、手摺３を挟むと共に、手摺３の上部に上材８を載せればよい。これにより、縦材４が、手摺３に沿って、手摺３上部から下方へ吊り下げられた状態となる。そして、縦材４に対し下材１５を展開位置とし、その下材１５を足掛けとして利用すればよい。
【００４８】
ベランダ２の手摺３への足掛け具１の設置状態（上材８および下材１５の展開位置）で、下材１５は、手摺３の上下方向中央部に配置される。ベランダ２の手摺３は、通常１ｍ〜１ｍ２０ｃｍであるのに対し、足掛け具１の縦材４の長さは、たとえば５０ｃｍ〜７０ｃｍ（本実施例では６４ｃｍ）とされているので、手摺３の高さ方向中央部に足掛けを配置することができ、手摺３を容易に登ることが可能となる。なお、下材１５の長さは、たとえば５ｃｍ〜１５ｃｍ（本実施例では１０ｃｍ）とされている。
【００４９】
ところで、縦材４の一側面、上材８の下面、係合板９の他片９ｂには、それぞれ、弾性材（２０〜２３）が設けられるのが好ましい。本実施例では、縦材４の一側面および上材８の下面には、それぞれ、ウレタンや合成ゴムなどから形成された板状のクッション材２０，２１が貼り付けられている。また、図１において、水平に配置された上材８から下方へ延出する係合板９の他片９ｂには、それぞれビニールのような合成樹脂製のキャップ２２がはめ込まれている。
【００５０】
その他、縦材４の一側面の下端部には、合成ゴム製の当たり材２３がネジ２４で固定されている。この当たり材２３は、短円柱状で、中央部に貫通穴が形成されており、その貫通穴を介して、ネジ２４で縦材４に固定されている。この際、ネジ２４の頭部は、貫通穴の拡径部にはまり込み、当たり材２３の端面から突出しない。また、縦材４の一側面からの当たり材２３の突出高さは、縦材４の一側面に貼られたクッション材２０よりも大きい。そのため、足掛け具１の使用時に最も荷重の受ける箇所を当たり材２３が受けることになり、しかもその当たり材２３は縦材４に貼り付けではなくネジ止めされているので、はがれることなく、耐久性が高い。また、当たり材２３を設けることで、足掛け具１の使用時、手摺３で構成される壁面に沿って、縦材４が横揺れするのを確実に防止することもできる。但し、場合により、当たり材２３を省略して、縦材４の下端部までクッション材２１を設けることで対応してもよい。
【実施例２】
【００５１】
図３は、本考案の足掛け具１の実施例２を示す概略斜視図である。また、図４は、本実施例の足掛け具１の使用状態を示す概略断面図であり、マンションのベランダ２の手摺３に取り付けた状態を示している。
【００５２】
本実施例２の足掛け具１も、基本的には前記実施例１と同様である。そこで、以下においては、両者の異なる点を中心に説明し、対応する箇所には同一の符号を付して説明する。また、実施例１と同様の箇所は、説明を省略する。
【００５３】
本実施例２では、縦材４が伸縮可能である点において、実施例１と異なる。具体的には、縦材４は、複数の筒材が伸縮可能にはめ込まれて構成される。より詳細には、図示例の場合、上下二つの筒材４Ａ，４Ｂから構成され、一方の筒材４Ｂの中空穴に、他方の筒材４Ａが進退可能にはめ込まれている。図示例では、下側の筒材４Ｂの中空穴に上側の筒材４Ａがはめ込まれているが、これとは逆に、上側の筒材４Ａの中空穴に下側の筒材４Ｂがはめ込まれてもよい。いずれの場合も、上下の筒材４Ａ，４Ｂは、所定の伸縮位置で、ネジ２５などにより互いに固定可能とされることで、段階的に伸縮可能とされる。図示例の場合、下側の筒材４Ｂの上端部にネジ２５が通される貫通穴が設けられると共に、上側の筒材４Ａには上下に離隔して複数の貫通穴４ａが形成されており、そのいずれに前記ネジ２５を通してナット締めするかにより、縦材４が段階的に長さ調整可能とされる。但し、上下の筒材４Ａ，４Ｂは、任意の伸縮位置で、ネジなどにより互いに固定されることで、任意の長さに調整可能とされてもよい。
【００５４】
本実施例２の場合、上側の筒材４Ａの上部に、上掛け材５が設けられる一方、下側の筒材４Ｂの下部に、下掛け材６が設けられる。つまり、上側の筒材４Ａの上部には、実施例１と同様に、上接続板１０を介して上材８が設けられる一方、下側の筒材４Ｂの下部には、実施例１と同様に、下接続板１６を介して下材１５が設けられる。また、実施例１と同様に、足掛け具１を取り付けようとする手摺３の厚さに応じて、上材８に対する係合板９の取付位置が変更可能とされている。
【００５５】
本実施例２の場合、縦材４の短縮時（最短時）、たとえば５０ｃｍ〜７０ｃｍの長さとされ、手摺３への設置状態で、下材１５が手摺３の高さ方向中央部に配置される。そのため、縦材４を短縮した状態では、前記実施例１と同様に使用できる。そして、本実施例２の場合、下材１５をベランダ２の床へ接近可能に、縦材４を伸長可能である。そのため、たとえば図４に示すように、ベランダ２の床の左官工事における足置きとして利用することで、床全体を塗り残しなく施工することができる。なお、図４では、作業者Ｈの足置きとして、サッシＳも利用しているが、片手で手摺３を持つなどして、手摺３側の足掛け具１だけでも作業可能である。
【００５６】
本考案の足掛け具１は、前記実施例の構成に限らず適宜変更可能である。特に、手摺壁その他の手摺または柵などから構成される境界壁（３）に設けられ、その境界壁（３）を乗り越える際の足掛けを仮設する足掛け具１であって、一本の棒状で縦向きに配置される縦材４と、この縦材４の上部に設けられて境界壁（３）の上部に着脱可能に保持される上掛け材５と、縦材４の下部に設けられて足を掛けるための下掛け材６とを備えるのであれば、適宜に変更可能である。
【００５７】
また、前記実施例では、基本的には、縦材４は手摺３に沿って垂直に配置されたが、場合により、下方へ行くに従って手摺３から離隔するように傾斜して設けられるように構成されてもよい。その場合も、下掛け材６は、展開位置において、水平に配置されるのが好ましい。
【００５８】
さらに、前記実施例では、上掛け材５および下掛け材６は、縦材４に対し回転可能としたが、場合により、一方または双方は、縦材４に対し固定されていてもよい。その他、前記実施例２において、縦材４の長さ調整方法、上下の筒材４Ａ，４Ｂの固定方法は、従来公知の各種のものを用いることができる。
【符号の説明】
【００５９】
１  足掛け具
２  ベランダ
３  手摺（境界壁）
４  縦材
５  上掛け材
６  下掛け材
７  （上掛け材の）軸
８  上材
９  係合板
９ａ  （係合板の）一片
９ｂ  （係合板の）他片
１０  上接続板
１０ａ  （上接続板の）一片
１０ｂ  （上接続板の）他片
１４  （下掛け材の）軸
１５  下材
１６  下接続板
１６ａ  （下接続板の）一片
１６ｂ  （下接続板の）他片
１９  足場
２０  クッション材（縦材に設けられる弾性材）
２１  クッション材（上材に設けられる弾性材）
２２  キャップ（係合板の他片に設けられる弾性材）
２３  当たり材（縦材に設けられる弾性材）
【図１】
0003184410.tif 000003
【図２】
0003184410.tif 000004
【図３】
0003184410.tif 000005
【図４】
0003184410.tif 000006